(57)【要約】【課題】回路基板に実装する部品や基板対基板接続コネクタに歪みを生じさせることなく、また落下振動などの外的負荷にも耐えることができる基板対基板接続コネクタの保持装置を提供することを目的とする。【解決手段】平行に配置する一対の回路基板１、２と、これらの回路基板にそれぞれ装着し互いに垂直方向に係合する基板対基板接続コネクタ３、４と、回路基板を包含するカバーケース５と、カバーケース５に設け基板対基板接続コネクタの係合部分６を過押し保持する弾力を有する保持リブ７とを備えたものである。これによって、基板対基板接続コネクタ３、４の係合部分６は、保持リブ７の弾力により過押し保持されることになり、回路基板に実装する部品や基板対基板接続コネクタに歪みを生じさせることなく、また落下振動などの外的負荷にも耐えることができるものである。【選択図】図１
2006339206.tif 000002
【特許請求の範囲】
【請求項１】
平行に配置する一対の回路基板と、これらの回路基板にそれぞれ装着し互いに垂直方向に係合する基板対基板接続コネクタと、回路基板を包含するカバーケースと、カバーケースに設け基板対基板接続コネクタの係合部分を過押し保持する弾力を有する保持リブとを備えた基板対基板接続コネクタの保持装置。
【請求項２】
保持リブに代え、カバーケースに固定した弾力を有する保持具を備えた請求項１に記載の基板対基板接続コネクタの保持装置。
【請求項３】
平行に配置する一対の回路基板と、これらの回路基板にそれぞれ装着し互いに垂直方向に係合する基板対基板接続コネクタと、回路基板を包含するカバーケースと、カバーケースと回路基板間に設け基板対基板接続コネクタの係合部分を過押し保持する弾性体およびこれを保持する支柱とを備えた基板対基板接続コネクタの保持装置。
【請求項４】
基板対基板接続コネクタの係合部分の周囲に回路基板と間隔を有してこれを保持する複数のリブを有する請求項１〜３のいずれか１項に記載の基板対基板接続コネクタの保持装置。
【請求項５】
平行に配置する一対の回路基板と、これらの回路基板にそれぞれ装着し互いに垂直方向に係合する基板対基板接続コネクタと、回路基板を包含するカバーケースと、回路基板と係合し基板対基板接続コネクタの係合部分を過押し保持する係止爪とを備えた基板対基板接続コネクタの保持装置。
【発明の詳細な説明】
【技術分野】
【０００１】
本発明は、平行に配置する一対の回路基板を基板対基板接続コネクタで係合する保持装置に関するものである。
【背景技術】
【０００２】
従来、この種の基板対基板接続コネクタの保持装置は、互いの回路基板に実装した基板対基板接続コネクタの内部構造で係合するとともに、隙間をおいて回路基板の浮きなどを防止するスペーサを設けることにより回路基板間を固定していた（例えば、特許文献１参照）。
【特許文献１】特開２００４−１２８０１７号公報
【発明の開示】
【発明が解決しようとする課題】
【０００３】
しかしながら、前記従来の構成では、基板対基板接続コネクタの保持力はコネクタの内部構造で担い、スペーサは隙間をおいて回路基板の浮きなどを防止するもので、回路基板とスペーサの隙間を小さくすると、回路基板間を過押しや片持ちになることが生じ、回路基板に実装する部品や基板対基板接続コネクタに歪みを与えるおそれがあり、逆に、大きくすると、落下振動などの外的負荷により基板対基板接続コネクタに浮き上がり方向の力がかかり接触の信頼性が低下するという課題がある。
【０００４】
本発明は、前記従来の課題を解決するもので、回路基板に実装する部品や基板対基板接続コネクタに歪みを生じさせることなく、また落下振動などの外的負荷にも耐えることができる基板対基板接続コネクタの保持装置を提供することを目的とする。
【課題を解決するための手段】
【０００５】
前記従来の課題を解決するために、本発明の基板対基板接続コネクタの保持装置は、平行に配置する一対の回路基板と、これらの回路基板にそれぞれ装着し互いに垂直方向に係合する基板対基板接続コネクタと、回路基板を包含するカバーケースと、カバーケースに設け基板対基板接続コネクタの係合部分を過押し保持する弾力を有する保持リブとを備えたものである。
【０００６】
これによって、基板対基板接続コネクタの係合部分は、保持リブの弾力により過押し保持されることになり、回路基板に実装する部品や基板対基板接続コネクタに歪みを生じさせることなく、また落下振動などの外的負荷にも耐えることができるものである。
【発明の効果】
【０００７】
本発明の基板対基板接続コネクタの保持装置は、回路基板に実装する部品や基板対基板接続コネクタに歪みを生じさせることなく、また落下振動などの外的負荷にも耐えることができるものである。
【発明を実施するための最良の形態】
【０００８】
第１の発明は、平行に配置する一対の回路基板と、これらの回路基板にそれぞれ装着し互いに垂直方向に係合する基板対基板接続コネクタと、回路基板を包含するカバーケースと、カバーケースに設け基板対基板接続コネクタの係合部分を過押し保持する弾力を有する保持リブとを備えた基板対基板接続コネクタの保持装置としたことにより、基板対基板接続コネクタの係合部分は、保持リブの弾力により過押し保持されることになり、回路基板に実装する部品や基板対基板接続コネクタに歪みを生じさせることなく、また落下振動などの外的負荷にも耐えることができる。
【０００９】
第２の発明は、特に、第１の発明において、保持リブに代え、カバーケースに固定した弾力を有する保持具を備えたことにより、カバーケースに弾性構造が成型困難な場合でも、別設の保持具を備えることで基板対基板接続コネクタの係合部分を過押し保持できる。したがって、基板対基板接続コネクタの設計が容易になり、商品開発時の隙間の設定や、金型による微調整などの後処理にかかる時間を軽減できる。
【００１０】
第３の発明は、平行に配置する一対の回路基板と、これらの回路基板にそれぞれ装着し互いに垂直方向に係合する基板対基板接続コネクタと、回路基板を包含するカバーケースと、カバーケースと回路基板間に設け基板対基板接続コネクタの係合部分を過押し保持する弾性体およびこれを保持する支柱とを備えた基板対基板接続コネクタの保持装置とすることにより、カバーケースでの弾性構造の成型が困難な場合や、別部品による弾性構造の保持が困難な場合でも基板対基板接続コネクタの設計が容易になり、商品開発時の隙間の設定や、金型による微調整などの後処理にかかる時間を軽減できる。
【００１１】
第４の発明は、特に、第１〜第３のいずれか１つの発明において、基板対基板接続コネクタの係合部分の周囲に回路基板と間隔を有してこれを保持する複数のリブを有することにより、基板対基板接続コネクタを設計する上で回路基板の端面近くに実装しなければならなくても、他の複数のリブで回路基板の片寄りを規制することで安定した保持が可能になる。
【００１２】
第５の発明は、平行に配置する一対の回路基板と、これらの回路基板にそれぞれ装着し互いに垂直方向に係合する基板対基板接続コネクタと、回路基板を包含するカバーケースと、回路基板と係合し基板対基板接続コネクタの係合部分を過押し保持する係止爪とを備えたことにより、係止爪の弾性で回路基板を保持することができるため、基板対基板接続コネクタの設計が容易になり、商品開発時の隙間の設定や、金型による微調整などの後処理にかかる時間を軽減できる。
【００１３】
以下、本発明の実施の形態について、図面を参照しながら説明する。なお、この実施の形態によって本発明が限定されるものではない。
【００１４】
（実施の形態１）
図１、図２は、本発明の実施の形態１における基板対基板接続コネクタの保持装置を示している。
【００１５】
図に示すように、本実施の形態における基板対基板接続コネクタの保持装置は、平行に配置する一対の回路基板１、２と、これらの回路基板１、２にそれぞれ装着し互いに垂直方向に係合する基板対基板接続コネクタ３、４と、回路基板１、２を包含するカバーケース５と、カバーケース５に設け基板対基板接続コネクタ３、４の係合部分６を過押し保持する弾力を有する保持リブ７とを備えたものである。
【００１６】
カバーケース５は、プラスチック材などの熱可塑材よりなり、基板対基板接続コネクタ３、４の係合部分６に、接続部１２を残して部分的に切り欠いて保持リブ７を一体に設けている。また、カバーケース５は、固定具９によりカバー下８と一体化されている。カバーケース５内で回路基板１はカバー下８に取り付けられ、その基板対基板接続コネクタ３に基板対基板接続コネクタ４を挿入し回路基板２が保持リブ７で押されている。なお、保持リブ７による押し寸法は、設計段階で集積する部品の誤差を求め、それらを含蓄した寸法をもとに、カバーケース５の材質による反発力などを考慮して決定する。
【００１７】
さらに、一対の回路基板１、２間には、間隔ｔ２をおいてスペーサ１０が設けられている。また、カバーケース５の裏面には、基板対基板接続コネクタ３、４の係合部分６の周囲に回路基板２と間隔ｔ１を有してこれを保持する複数のリブ１１を有している。
【００１８】
以上のように構成された基板対基板接続コネクタの保持装置において、保持リブ７が回路基板２で押し上げられても、保持リブ７の弾力構成とプラスチック材の持つ弾力による反発力で回路基板２を保持する作用が働く。この保持リブ７は、図に示す接続部１２を有するヒンジ型のほかに、両側を接合した形状や、保持リブ７の周囲を薄肉化して反発力を得ることも可能である。薄肉化の場合は、カバーケース５に抜き穴が不用で回路基板１、２に異物が侵入する恐れがある場合には有効な手段となる。この保持リブ７は基板対基板接続コネクタ３、４の上部を押さえる位置に設定することで、直接、基板対基板接続コネクタ３、４の係合部分６を押さえるため確実な保持ができる。
【００１９】
また、保持リブ７を複数個設定することで、回路基板２全体を安定的に保持することができる。これにより、基板対基板接続コネクタ３、４の設計が容易になり、商品開発時の間隔ｔ１、ｔ２の設定や、金型による微調整などの後処理にかかる時間を軽減できる。また、基板対基板接続コネクタ３、４自体の保持部の構造も簡略化が可能で、小型化や、低コスト化が実現できる。
【００２０】
このように、本実施の形態では、基板対基板接続コネクタの係合部分は、保持リブの弾力により過押し保持されることになり、回路基板に実装する部品や基板対基板接続コネクタに歪みを生じさせることなく、また落下振動などの外的負荷にも耐えることができるものである。
【００２１】
（実施の形態２）
図３は、本発明の実施の形態２における基板対基板接続コネクタの保持装置を示している。実施の形態１と同一要素については同一符号を付してその説明を省略する。
【００２２】
図に示すように、本実施の形態における基板対基板接続コネクタの保持装置は、実施の形態１における保持リブ７に代え、カバーケース５の裏面に弾力を有する保持具１３を別に固定して備えたものである。保持具１３は、板バネなどから構成され、その反発力で回路基板２を押し、基板対基板接続コネクタ３、４の係合部分６を過押し保持する。
【００２３】
このように、本実施の形態では、別設の保持具を備えることで、カバーケースに弾性構造が成型困難な場合でも、基板対基板接続コネクタの係合部分を過押し保持できる。したがって、基板対基板接続コネクタの設計が容易になり、商品開発時の隙間の設定や、金型による微調整などの後処理にかかる時間を軽減できる。
【００２４】
（実施の形態３）
図４は、本発明の実施の形態３における基板対基板接続コネクタの保持装置を示している。実施の形態１と同一要素については同一符号を付してその説明を省略する。
【００２５】
図に示すように、本実施の形態における基板対基板接続コネクタの保持装置は、カバーケース５の裏面に、回路基板２と当接する当接リブ１４を設け、カバーケース５のカバー下８と回路基板１間には、基板対基板接続コネクタ３、４の係合部分６を過押し保持する弾性体１６およびこれを保持する支柱１５を備えたものである。
【００２６】
なお、弾性体１６および支柱１５は、当接リブ１４との作用により基板対基板接続コネクタ３、４の係合部分６を過押し保持することができれば、カバー下８と回路基板１間に設けることに限られるものではない。また、弾性体１６は支柱１５の内部に収納する構成であってもよく、当接リブ１４に設けても同様の効果が得られる。
【００２７】
このように、本実施の形態では、弾性体およびこれを保持する支柱を備えたことで、カバーケースでの弾性構造の成型が困難な場合や、別部品による弾性構造の保持が困難な場合でも基板対基板接続コネクタの設計が容易になり、商品開発時の隙間の設定や、金型による微調整などの後処理にかかる時間を軽減できる。
【００２８】
（実施の形態４）
次に、本発明の実施の形態４における基板対基板接続コネクタの保持装置について説明する。
【００２９】
本実施の形態では、実施の形態１〜３において示したとおり、基板対基板接続コネクタ３、４の係合部分６の周囲に回路基板２と間隔ｔ１を有してこれを保持する複数のリブ１１を設けたことである。このリブ１１は、保持リブ７、保持具１３、当接リブ１４が直接、基板対基板接続コネクタ３、４の係合部分６を保持する際に、設計上、回路基板上の端に片寄って配置しなければならない制約を受けても、複数のリブ１１との組み合わせで、回路基板２の周囲の浮きを防止する作用がある。
【００３０】
このように、本実施の形態では、複数のリブを設けることで、基板対基板接続コネクタを設計する上で回路基板の端面近くに実装しなければならなくても、他の複数のリブで回路基板の片寄りを規制することで安定した保持が可能になる。
【００３１】
（実施の形態５）
図５、図６は、本発明の実施の形態５における基板対基板接続コネクタの保持装置を示している。実施の形態１と同一要素については同一符号を付してその説明を省略する。
【００３２】
図に示すように、本実施の形態における基板対基板接続コネクタの保持装置は、カバーケース５のカバー下８に、回路基板１、２と係合し基板対基板接続コネクタ３、４の係合部分６を過押し保持する係止爪１７を備えたものである。係止爪１７はプラスチック材など弾力のある材料より逆Ｌ字形に成型され、成型品は内側に傾斜角度αを有して一対設けられている。
【００３３】
次に、基板対基板接続コネクタの保持について説明する。
【００３４】
まず、図５のようにカバー下８に回路基板１を取り付ける。次いで、基板対基板接続コネクタ３にもう一方の回路基板２の基板対基板接続コネクタ４を挿入し、回路基板１、２を組立てた後、係止爪１７を広げて回路基板２を保持することで、係止爪１７が回路基板セット時の傾斜角度βで回路基板２を保持する（図６）。これにより、係止爪１７が基板対基板接続コネクタ３、４の係合部分６を過押し保持することになる。
【００３５】
このように、本実施の形態では、係止爪を備えたことで、係止爪の弾性で回路基板を保持することができるため、基板対基板接続コネクタの設計が容易になり、商品開発時の隙間の設定や、金型による微調整などの後処理にかかる時間を軽減できる。
【産業上の利用可能性】
【００３６】
以上のように、本発明にかかる基板対基板接続コネクタの保持装置は、回路基板に実装する部品や基板対基板接続コネクタに歪みを生じさせることなく、また落下振動などの外的負荷にも耐えることができるものであるので、広く各種機器に適応することができる。
【図面の簡単な説明】
【００３７】
【図１】本発明の実施の形態１、４における基板対基板接続コネクタの保持装置を一部断面にして示した側面図
【図２】同保持装置の一部平面図
【図３】本発明の実施の形態２、４における基板対基板接続コネクタの保持装置の側面図
【図４】本発明の実施の形態３、４における基板対基板接続コネクタの保持装置の側面図
【図５】本発明の実施の形態５における基板対基板接続コネクタの保持装置の側面図
【図６】同保持装置の組み立て状態の側面図
【符号の説明】
【００３８】
１、２  回路基板
３、４  基板対基板接続コネクタ
５  カバーケース
７  保持リブ
１１  リブ
１３  保持具
１４  当接リブ
１５  支柱
１６  弾性体
１７  係止爪
【図１】
2006339206.tif 000003
【図２】
2006339206.tif 000004
【図３】
2006339206.tif 000005
【図４】
2006339206.tif 000006
【図５】
2006339206.tif 000007
【図６】
2006339206.tif 000008